(57)【特許請求の範囲】
【請求項１】
把持部及びこの把持部の両端部から互いに同一方向へ延び出す一対の当接部を有し、上記一対の当接部の各先端部が磁極とされた電磁石部と、上記把持部と平行に、かつ上記把持部の長手方向において上記把持部と同一位置に配置された取付部、及びこの取付部の両端部から互いに同一方向に延び出し、各先端部が上記一対の当接部の先端部にそれぞれ取り付けられた一対の取付腕部を有する撮像手段装着部と、この撮像手段装着部の上記取付部に上記一対の当接部間に位置する範囲を撮像可能な状態で取り付けられた撮像手段とを備え、上記把持部と上記取付部との間に隙間が形成され、その隙間を通して上記一対の当接部間に位置する部分を目視することができるよう、上記取付部と上記把持部とがそれらの長手方向と直交する方向へ互いに離間して配置されていることを特徴とする磁気探傷用磁化装置。
【請求項２】
上記一対の当接部の先端部に、一対の連結腕部の基端部がそれぞれ取り付けられ、各連結腕部の長手方向の中間部に上記一対の取付腕部の先端部がそれぞれ取り付けられ、上記一対の連結腕部の先端部に上記一対の当接部間に光を照射可能な発光手段が設けられていることを特徴とする請求項１に記載の磁気探傷用磁化装置。
【請求項３】
上記取付部が上記把持部に対して接近離間し、それによって上記隙間の大きさを変えることができるよう、上記一対の取付腕部が上記一対の連結腕部に位置調節可能に取り付けられていることを特徴とする請求項２に記載の磁気探傷用磁化装置。
【請求項４】
上記一対の当接部の各先端部に上記把持部と平行な当接平面が形成され、上記一対の当接部の各当接平面を水平面に面接触させたとき、上記把持部及び上記取付部が上記隙間を間にして上記当接平面の両側に位置するように、上記当接平面が上記当接部に対して傾斜させられていることを特徴とする請求項１〜３のいずれかに記載の磁気探傷用磁化装置。
【発明の詳細な説明】
【技術分野】
【０００１】
この発明は、磁気探傷検査装置に用いられる磁気探傷検査用磁化装置に関する。
【背景技術】
【０００２】
一般に、この種の磁化装置は、下記特許文献１に記載されているように、電磁石部を備えている。電磁石部は、珪素鋼板等の強磁性材からなる鉄心と、この鉄心に巻回された電磁コイルとから構成されている。鉄心は、把持部と、この把持部の長手方向の両端部から互いに同一方向へ突出する一対の当接部とを有している。把持部及び一対の当接部のうちの少なくとも一つには電磁コイルが巻回されている。したがって、電磁コイルに電流を流すと鉄心が磁化される。そして、一対の当接部の先端部が磁極になる。
【０００３】
上記磁化装置を用いて磁気探傷検査を行う場合には、一対の当接部の先端部を検査対象に接触させる。そして、鉄心を磁化させる。それによって、検査対象の当接間に位置する部分を磁化させる。次に、磁化した部分に蛍光磁粉を吹き付け、さらに紫外線を照射する。検査対象の磁化部分にクラック等の欠陥がある場合には、欠陥が存在する箇所に蛍光磁粉が多く付着する。その結果、欠陥部分の蛍光発光量が他の部分より多くなる。これにより、検査対象に欠陥があることが分る。
【先行技術文献】
【特許文献】
【０００４】
【特許文献１】特開２００３−１３０８４９号公報
【発明の概要】
【発明が解決しようとする課題】
【０００５】
上記従来の磁化装置においては、カメラ等の撮像手段が設けられていなかった。このため、検査した結果を映像として記録したり、あるいは磁化装置の操作者以外の者が検査部分を見ることができないという問題があった。
【０００６】
そこで、この出願の発明者は、磁化装置に撮像手段を設けることを考えた。しかし、磁化装置に撮像手段をむやみに取り付けると、撮像手段が操作者の視界を妨げ、操作者が検査部分を見難くなるという問題があった。
【課題を解決するための手段】
【０００７】
この発明は、上記問題を解決するためになされたもので、把持部及びこの把持部の両端部から互いに同一方向へ延び出す一対の当接部を有し、上記一対の当接部の各先端部が磁極とされた電磁石部と、上記把持部と平行に、かつ上記把持部の長手方向において上記把持部と同一位置に配置された取付部、及びこの取付部の両端部から互いに同一方向に延び出し、各先端部が上記一対の当接部の先端部にそれぞれ取り付けられた一対の取付腕部を有する撮像手段装着部と、この撮像手段装着部の上記取付部に上記一対の当接部間に位置する範囲を撮像可能な状態で取り付けられた撮像手段とを備え、上記把持部と上記取付部との間に隙間が形成され、その隙間を通して上記一対の当接部間に位置する部分を目視することができるよう、上記取付部と上記把持部とがそれらの長手方向と直交する方向へ互いに離間して配置されていることを特徴としている。
この場合、上記一対の当接部の先端部に、一対の連結腕部の基端部がそれぞれ取り付けられ、各連結腕部の長手方向の中間部に上記一対の取付腕部の先端部がそれぞれ取り付けられ、上記一対の連結腕部の先端部に上記一対の当接部間に光を照射可能な発光手段が設けられていることが望ましい。
上記取付部が上記把持部に対して接近離間し、それによって上記隙間の大きさを変えることができるよう、上記一対の取付腕部が上記一対の連結腕部に位置調節可能に取り付けられていることが望ましい。
上記一対の当接部の各先端部に上記把持部と平行な当接平面が形成され、上記一対の当接部の各当接平面を水平面に面接触させたとき、上記把持部及び上記取付部が上記隙間を間にして上記当接平面の両側に位置するように、上記当接平面が上記当接部に対して傾斜させられていることが望ましい。
【発明の効果】
【０００８】
上記特徴構成を有するこの発明によれば、磁化装置に撮像手段が設けられているので、撮像手段によって撮影された映像を記録し、あるいは映像をモニター等によって見ることにより、磁化装置の操作者以外ものも検査部分を見ることができる。しかも、電磁石部の把持部と撮像手段装着部の取付部との間に隙間が形成されているから、磁化装置の操作者は隙間を通して検査部分を見ることができる。
【図面の簡単な説明】
【０００９】
【図１】図１は、この発明に係る磁化装置が用いられた磁気探傷検査装置の一例の概略構成を示す図である。
【図２】図２は、図１に示す磁気探傷検査装置において用いられている磁化装置であって、この発明に係る磁化装置の一実施の形態を示す側面図である。
【図３】図３は、図２のＸ矢視図である。
【図４】図４は、図２のＹ矢視図である。
【図５】図５は、図２のＺ矢視図である。
【図６】図６は、同実施の形態において用いられている電磁石部を示す正面図である。
【図７】図７は、同電磁石部を示す側面図である。
【図８】図８は、同実施の形態において用いられている連結腕部を示す正面図である。
【図９】図９は、同連結腕部を示す側面図である。
【図１０】図１０は、同実施の形態において用いられている撮像手段装着部を示す正面図である。
【図１１】図１１は、同撮像手段装着部を示す平面図である。
【図１２】図１２は、同撮像手段装着部を示す側面図である。
【発明を実施するための形態】
【００１０】
以下、この発明を実施するための最良の形態を、添付の図１〜図１２を参照して説明する。
図１は、磁気探傷検査装置１の概略構成を示すものであり、磁気探傷検査装置１は、この発明に係る磁化装置２と、磁化装置２を制御するための制御ユニット１０とを有している。
【００１１】
まず、磁化装置２について説明すると、磁化装置２は、電磁石部３、連結腕部４、撮像手段装着部５、発光手段６及び撮像手段７を主な構成要素としている。
【００１２】
電磁石部３は、珪素鋼板、その他の強磁性体からなる鉄心３Ａを有している。鉄心３Ａは、図６及び図７に示すように、ストレートに延びる把持部３１と、この把持部３１の長手方向の両端部に設けられた一対の当接部３２，３２とを有している。把持部３１は、磁化装置２の操作者が一方の手で把持して磁化装置２全体を操作するためのものであり、手で把持するのに十分な長さを有している。しかも、把持部３１は、当該把持部３１を手で持ち易くするために、テープその他の被覆体（図示せず）によって被覆されている。
【００１３】
一対の当接部３２，３２は、把持部３１の両端部から、互いに同一方向へ、互いに平行に延び出している。特に、この実施の形態では、当接部３３が把持部３１と直交するように設けられている。その結果、電磁石部３全体が「コ」字状に形成されている。当接部３２，３２は、把持部３１に対して必ずしも直交させる必要がなく、当接部３２，３２の間隔が当接部３２の先端側へ向かうにしたがって広がるよう、当接部３２，３２を把持部３１に対して鈍角をもって交差させてもよい。
【００１４】
把持部３１及び一対の当接部３２，３２のうちの少なくとも一つには、励磁用のコイル（図示せず）が巻回されている。この実施の形態では、励磁コイルが把持部３１に巻回されている。励磁コイルは、把持部３１と共に上記被覆体によって被覆されている。励磁コイルに電流を流すと、電磁石部３が磁化され、一対の当接部３２，３２の両先端部が磁極になる。
【００１５】
一対の当接部３２，３２の各先端部には、当接平面３２ａがそれぞれ形成されている。当接平面３２ａ，３２ａは、検査対象の磁化すべき部分の両端部にそれぞれ接触させられる。したがって、励磁コイルに電流を流すと、検査対象のうちの当接平面３２ａ，３２ａ間に位置する部分（以下磁化部分という。）が磁化される。
【００１６】
二つの当接平面３２ａ，３２ａは、把持部３１と平行な一つの平面上に位置するように配置されている。しかも、二つの当接平面３２ａ，３２ａを一つの仮想平面に面接触させたとき、一対の当接部３２，３２が当該仮想平面に対して同一角度だけ傾斜するように、当接平面３２ａが当接部３３の長手方向に対して傾斜させられている。この傾斜角度は、通常３０°〜６０°程度に設定されるが、この実施の形態では、約４５°に設定されている。当接平面３２ａがこのように傾斜させられている結果、図２に示すように、二つの当接平面３２ａ，３２ａを仮想平面に面接触させると、把持部３１が当接平面３２ａに対し、二つの当接面３２ａ，３２ａを結ぶ直線と直交する方向へ、さらに詳しくは仮想平面上において二つの当接面３２ａ，３２ａと直交する方向（以下、直交方向という。）へ離間する。ここで、把持部３１の幅方向の中央と同方向における当接平面３２ａの中央とを結ぶ線上での当接部３２の長さをＬとし、当接部３２と当接平面３２ａとの傾斜角度をαとすると、把持部３１の幅方向の中央部は、同方向における当接平面３２ａの中央部に対し次式で求められる距離Ｄだけ離間する。
Ｄ＝Ｌ・cosα
【００１７】
当接部３２の先端部には、連結腕部４が固定されている。連結腕部４は、金属製の板材からなるものであり、その基端部（図２において下端部）に形成された基板部４１と、この基板部４１の先端部に連設された傾斜板部４２とを有している。基板部４１の基端部（図２において下端部）は、当接部３２の外側の面（当接部３２，３２の互いに対向する面と逆側を向く面）に介装材４３を介して取り付けられている。基板部４１は、当接部３２に直接取り付けてもよい。基板部４１は、当接平面３２ａに対し当接部３２の当接平面３２ａに対する傾斜方向と逆方向に傾斜した状態で当接部３２に取り付けられている。この結果、基板部４１の先端部と当接部３２の基端部とは、直交方向において当接平面３２ａを間にして逆側に位置しており、それらの間の距離は、当接平面３２ａから当接部３２の基端側又は基板部４１の先端側（図２において上側）へ離れるにしたがって漸次大きくなっている。基板部４１の当接平面３２ａに対する傾斜角度は、当接部３２の当接平面３２ａに対する傾斜角度と異なる角度であってもよいが、この実施の形態では同一角度に設定されている。
【００１８】
連結腕部４の傾斜板部４２は、基板部４１に対して傾斜させられている。すなわち、当接平面３２ａ，３２ａを仮想平面に面接触させたとき、傾斜板部４２の内側の面（図３及び図４において斜め下方を向く面）が仮想平面のうちの一対の当接部３２，３２間に位置する部分、つまり磁化部分を向くように、特にこの実施の形態では一対の当接部３２，３２間の中央部を向くように、傾斜板部４２が基板部４１に対して傾斜させられている。
【００１９】
傾斜板部４２の内側の面には、発光手段６が設けられている。発光手段６は、紫外線を発光する紫外線発光部と、可視光線を発光する可視光線発光部（いずれも図示せず）とを有している。紫外線発光部及び可視光線発光部は、上記磁化部分に紫外線又は可視光線を照射する。この場合、紫外線発光部及び可視光線発光部は、上記磁化部分全体をほぼ均一に照射するものであってもよく、磁化部分のうちの当接部３２，３２を結ぶ方向の中央部を最も強く照射し、中央部から離間するにしたがって照射量が少なくなるものであってもよい。また、発光手段６は、少なくとも紫外線発光部を有していればよく、可視光線発光部は必ずしも必要ではない。
【００２０】
撮像手段装着部５は、平板状をなす板材からなるものであり、平面視（図２においてＺ方向視）長方形状をなす取付部５１と、この取付部５１の長手方向の両端部にそれぞれ一体に設けられた一対の取付腕部５２，５２とを有している。取付腕部５２，５２は、取付部５１から互いに同一方向へ互いに平行に延びだしており、同一長さを有している。この結果、撮像手段装着部５全体が「コ」字状をなしている。
【００２１】
取付部５１は、当接平面３２ａに関し電磁石部３の把持部３１と同一側に位置し、かつ把持部３１と平行に配置されている。しかも、取付部５１は、その長手方向においては把持部３１とほぼ同一位置に位置させられている。一方、取付腕部５２は、その長手方向を当接平面３２ａとほぼ直交する方向に向けた状態で配置されている。取付腕部５２の先端部（図２において下端部）は、連結腕部４の基板部４１の先端部に取り付けられている。取付部５１及び取付腕部５２が上記のように配置され、しかも取付腕部５２の先端部が基板部４１の先端部に取り付けられているため、取付部５１と把持部３１とは、そられの長手方向と直交する方向へ互いに離間させられている。その結果、取付部５１と把持部３１との間には、それらに沿って延びる隙間Ｓが形成されている。ここで。把持部３１と取付部５１とが上記直交方向において当接平面３２ａを間にして互いに逆側に位置させられているので、隙間Ｓは、当接平面３２ａと対向するように位置させられている。
【００２２】
取付腕部５２の先端部には、基板部４１の長手方向とほぼ同一方向へ延びる長孔５２ａが形成されている。この長孔５２ａに挿通されたボルトＴを基板部４１に螺合させて締め付けることにより、取付腕部５２が基板部４１に固定され、ひいては撮像手段装着部５が連結腕部４，４に固定されている。したがって、ボルトＴを緩めることにより、撮像手段装着部５を基板部４１の長手方向（長孔５２ａの長手方向）へ位置調節可能である。撮像手段装着部５を基板部４１の基端側へ移動させると、取付部５１が把持部３１に接近し、取付部５１と把持部３１との間の隙間Ｓの幅が狭くなる。逆に、撮像手段装着部５を基板部４１の先端側へ移動させると、取付部５１が把持部３１から離間し、取付部５１と把持部３１との間の隙間Ｓの幅が大きくなる。
【００２３】
取付腕部５２は、基板部４１に対し接近離間する方向へ位置調節可能に取り付けることに代えて、基板部４１に取付部５１と平行に延びる軸線を中心として所定角度だけ回動可能に取り付けてもよい。そのようにした場合には、取付腕部５２を基板部４１に対して正逆方向へ回動させることにより、隙間Ｓの幅を大小に変化させることができる。
【００２４】
取付部５１には、撮像手段７が取り付けられている。撮像手段７としては、ＣＣＤカメラ、光学カメラその他の周知の撮像手段を用いることができる。この撮像手段７の撮像用の入射部７１は、取付部５１の中央部に形成された貫通孔５１ａに挿通されており、その光軸を当接平面３２ａと直交する方向に向けて配置されている。しかも、入射部７１は、取付部５１のほぼ中央部に位置するように配置されている。つまり、入射部７１は、当接平面３１ａ，３１ａを結ぶ方向において磁化部分の中央に位置するように配置されている。ただし、入射部７１は、直交方向においては当接平面３２ａに対し若干外れた位置に配置されている。勿論、入射部７１は、直交方向において当接平面３２ａの中央部に位置するように入射部７１を配置してもよい。あるいは、入射部７１の光軸を当接平面３２ａに対して傾斜させ、入射部７１の光軸が直交方向において磁化部分の中央部を通るように入射部７１を配置してもよい。いずれにしても、撮像手段７は、磁化部分全体を撮影することができるようになっている。なお、入射部７１の光軸方向は、取付腕部５２を基板部４１に回動可能に取り付けた場合には、撮像手段装着部５を基板部４１に対して回動させることによって調節することができる。
【００２５】
次に、制御ユニット１０について説明すると、制御ユニット１０は、磁化装置２の把持部３１の長手方向の一端部に設けられたスイッチＳＷ１，ＳＷ２，ＳＷ３からの入力信号Ｓ１，Ｓ２，Ｓ３に基づいて磁化装置２を制御するためのものであり、バッテリー１１、制御回路１２、磁化用駆動回路１３、照明用駆動回路１４及び撮像用駆動回路１５を有している。そして、バッテリー１１、制御回路１２、磁化用駆動回路１３、照明用駆動回路１４及び撮像用駆動回路１５が一つのケーシング１６内に収容されることにより、全体としてユニット化されている。ケーシング１６は、磁化装置２の操作者に対し着脱可能に装着することができるものであることが望ましい。例えば、操作者の腰ベルトに着脱可能に装着することができるものであることが望ましい。
【００２６】
バッテリー１１は、磁化用駆動回路１３を介して磁化装置２の励磁コイルに接続され、照明用駆動回路１４を介して発光手段６に接続され、撮像用駆動回路１５を介して撮像手段７に接続されている。バッテリー１１としては、軽量かつ蓄電量の多さという観点から、リチウム電池を用いることが望ましい。
【００２７】
制御回路１２は、スイッチＳＷ１、ＳＷ２及びＳＷ３からそれぞれ入力される入力信号Ｓ１，Ｓ２，Ｓ３に対応して磁化用駆動回路１３、照明用駆動回路１４及び撮像用駆動回路１５をそれぞれ次のように制御する。
【００２８】
すなわち、スイッチＳＷ１を「オフ」状態にすると、制御回路１２は、磁化用駆動回路１３と励磁コイルとの間を切断する。一方、スイッチＳＷ１を「オン」状態にすると、制御回路１２は、磁化用駆動回路１３と励磁コイルとの間を接続する。しかも、制御回路１２は、スイッチＳＷ１の操作量及び／又は操作位置に対応して、磁化用駆動回路１３から励磁コイルに流れる電流の大きさ及び周波数をそれぞれ調節する。したがって、操作者は、スイッチＳＷ１を適宜に操作することにより、励磁コイルに流れる電流の大きさ及び周波数をそれぞれ独立して調節することができる。それにより、電磁石部３の磁力の強さ及び磁気極性の変換周波数を変えることができる。また、スイッチＳＷ１を「消磁」に切り替えると、制御回路１２は、磁化用駆動回路１３が励磁コイルに消磁用の電流を流すように磁化用駆動回路１３を制御する。
【００２９】
スイッチＳＷ２を「オフ」状態にすると、制御回路１２は、照明用駆動回路１４と発光手段６との間を切断する。一方、スイッチＳＷ２を「オン」状態にすると、照明用駆動回路１４と発光手段６との間を接続し、照明用駆動回路１４から発光手段６に発光用の電流が流される。特に、この実施の形態では、スイッチＳＷ２を「第１オン状態」にすると、照明用駆動回路１４と発光手段６の紫外線発光部との間が接続され、紫外線発光部から紫外線が発光され、磁化部分に照射される。スイッチＳＷ２を「第２のオン状態」にすると、照明用駆動回路１４と可視光線発光部との間が接続され、可視光線発光部から可視光線が発光され、磁化部分に照射される。また、スイッチＳＷ２は、第１オン状態において連続状態と断続状態とに切り替え可能であり、連続状態に切り換えると、紫外線発光部から紫外線が連続して発光され、断続状態に切り換えると、紫外線発光部から紫外線が断続的に発光される。同様に、スイッチＳＷ２を第２オン状態において連続状態に切り換えると、可視光線発光部から可視光線が連続して発光され、断続状態に切り換えると、可視光線発光部から可視光線が断続的に発光される。断続的に発光される紫外線及び可視光線の周期は、スイッチＳＷ２の操作量に応じて変更される。
【００３０】
スイッチＳＷ３を「オフ」状態にすると、制御回路１２は、撮像用駆動回路１５と撮像手段７との間を切断する。スイッチＳＷ３を「オン」状態にすると、制御回路１２は、撮像用駆動回路１５と撮像手段７との間を接続する。この結果、撮像手段７は、磁化部分を撮影する。しかも、制御回路１２は、スイッチＳＷ２が断続状態にあるときには、紫外線又は可視光線の発光周期に合わせて撮像手段７を撮影状態と非撮影状態とに切り換える。勿論、紫外線又は可視光線が発光されているときには、撮像手段７が撮影状態に切り換えられ、紫外線又は可視光線が発光されていないときには、撮像手段７が非撮影状態に切り換えられる。撮像手段７の撮影状態と非撮影状態とは、通常、撮像手段７に設けられたシャッター（図示せず）によって行われる。撮像手段７は、モニター（図示せず）に接続されており、撮像手段７によって撮影された映像をモニターで見ることができる。さらに、撮像手段７は、記録媒体（図示せず）に接続されており、撮像手段によって撮影された映像が記録媒体に記録される。
【００３１】
上記構成の磁気探傷検査装置１によって発電用タービン等の検査対象物に欠陥があるか否かを検査する場合には、電磁石部３の当接平面３２ａ，３２ａを検査対象物に押し付ける。このとき、電磁石部３の把持部３１と撮像手段装着部５の取付部５１との間に隙間Ｓが形成されており、その隙間Ｓが当接平面３２ａ，３２ａ間の部分と対向するように位置しているから、検査対象物の所定の部分（以下、検査部分と称する。）が当接平面３２ａ，３２ａ間に正しく位置しているか否かを目視で確認することができる。検査部分が暗い場合には、スイッチＳＷ２を操作して発光手段４の可視光線発光部から可視光線を連続して発光させ、検査部分に可視光線を照射させる。それによって、検査部分を明瞭に確認することができる。
【００３２】
その後、スイッチＳＷ１を操作して電磁石部２の励磁コイルに磁化用の電流を流す。これによって、検査部分が磁化され、その結果検査部分が磁化部分になる。その後、磁化部分に蛍光磁粉（図示せず）を吹き付ける。蛍光磁粉は、磁気探傷検査装置１とは独立して設けられた吹き付け装置のノズル（図示せず）から蛍光磁粉を噴出させることによって磁化部分に吹き付けられる。吹き付け装置のノズルは、電磁石部２、連結腕部４及び発光手段装着部５のいずれかに設けておいてもよい。その場合には、蛍光磁粉が発光手段６の前面及び撮像手段７の入射部７１の前面に付着することを防止するために、蛍光磁粉の噴射時には蛍光磁粉が発光手段６の前面及び撮像手段７の入射部の前面を覆い、かつ蛍光磁粉の噴射中断ないしは終了時には発光手段６の前面及び撮像手段７の入射部７１の前面を開くシャッター等の開閉手段を発光手段６及び撮像手段７にそれぞれ付設しておくことが望ましい。
【００３３】
次にスイッチＳＷ２を操作し、発光手段６から紫外線を発光させて磁化部分に照射させる。これと同時に、スイッチＳＷ３を操作して撮像手段７を起動し、磁化部分を撮影する。この映像をモニターに映し出される。したがって、磁化装置２の操作者以外の者は、モニターで磁化部分を見ることができる。磁化部分を撮像手段７によって撮像する場合には、紫外線を断続的に発光させることが望ましい。その方が紫外線を連続発光させた場合に比して撮像手段による映像が鮮明になるからである。映像は、モニターによって映し出されるのみならず、記憶媒体（図示せず）によって記録される。勿論、磁化部分は、隙間Ｓを通して目視することもできる。いずれにしても、磁化部分に欠陥があるか否かは、磁化部分の各部の蛍光発光量によって確認することができる。欠陥の有無の確認後、スイッチＳＷ１を操作して電磁石部２の励磁コイルに消磁用の電流を流し、磁化部分を消磁する。その後、蛍光磁粉を除去して検査部分の磁気探傷検査を終了する。勿論、上記のようにして検査が完了した検査部分以外の部分も上記と同様にして検査することができる。
【００３４】
上記のように、この発明の磁化装置２においては、撮像手段装着部５に撮像手段７が設けられているから、撮像手段７によって撮影された映像をモニターで見ることにより、磁化装置２の操作者のみならず、他の者も検査部分（磁化部分）を見ることができる。また、映像を記録することにより、検査対象物に欠陥があるか否かや、欠陥が検査対象物のいずれの箇所に存在するかを検査終了後にも確認することができる。
【００３５】
また、この実施の形態電磁石部３を磁化する前に検査部分をモニターで見ることにより、電磁石部２が検査部分に正しくセットされているか否かを確認することができる。特に、この実施の形態では、発光手段６に紫外線発光部のみならず、可視光線発光部を設けているので、検査部分に可視光線を照射することによってより、電磁石部２が検査部分に正しくセットされているか否かをより一層明瞭に確認することができる。
【００３６】
さらに、電磁石部３の把持部３１と撮像手段装着部５の取付部５１との間に隙間Ｓを形成し、この隙間Ｓから検査部分（磁化部分）を目視することができるので、磁化装置２の操作者は、電磁石部２が正しい位置にセットされているか否か、及び磁化部の各部の蛍光発光量を隙間Ｓを通して容易に確認することができる。
【００３７】
なお、この発明は、上記の実施の形態に限定されるものでなく、各種の変形例を採用することができる。
例えば、上記の実施の形態においては、撮像手段装着部５を電磁石部３に連結腕部４を介して取り付けているが、連結腕部４を省き、撮像手段装着部５の取付腕部５２，５２を電磁石部３の当接部３２，３２にそれぞれ直接取り付けてもよい。この場合、撮像手段装着部５の取付部５１が電磁石部３の把持部３１に対して接近離間する方向へ位置調節することができるよう、取付腕部５２を当接部３２に対し移動可能に、又は回動可能に取り付けることが望ましい。
【産業上の利用可能性】
【００３８】
この発明に係る磁化装置は、磁気探傷検査において検査対象物の検査部分を磁化するためのものとして利用することができる。
【符号の説明】
【００３９】
Ｓ    隙間
２    磁化装置
３    電磁石部
４    連結腕部
５    撮像手段装着部
６    発光手段
７    撮像手段
３１    把持部
３２    当接部
３２ａ    当接平面
５１    取付部
５２    取付腕部
【図１】
0005498893.tif 000002
【図２】
0005498893.tif 000003
【図３】
0005498893.tif 000004
【図４】
0005498893.tif 000005
【図５】
0005498893.tif 000006
【図６】
0005498893.tif 000007
【図７】
0005498893.tif 000008
【図８】
0005498893.tif 000009
【図９】
0005498893.tif 000010
【図１０】
0005498893.tif 000011
【図１１】
0005498893.tif 000012
【図１２】
0005498893.tif 000013